(57)【要約】【課題】例えば現在地点のような、特定地点の周囲の状況を直感的に理解することができる地図表示方法を提供すること。【解決手段】３次元的に表現された第一地図画面Ａ１を目的地等に至るまで順次切替表示する。各画面は適宜地点にて静止し、操作手段の操作で連続表示が次の適宜地点まで再生される。よって、ユーザーは実際に行動する前に、自分の行動を疑似体験することができる。また、当該適宜地点の画像である特定画像のみ特定の文字・記号情報Ｃが含まれる。連続変化する際に目障りな文字情報を表示させないので、ユーザーは地形の変化を直感的に把握できる。平面図的に表現され、現在地点を表示する第二地図画面Ａ２をさらに有するので、ユーザーは平面上で自らの位置を客観的に確認することができる。【選択図】    図３
2004150918.tif 000002
【特許請求の範囲】
【請求項１】
３次元的に表現された第一地図画面（Ａ１）を目的地等に至るまで順次切替表示し、各画面は適宜地点にて静止し、操作手段の操作で連続表示が次の適宜地点まで再生され、当該適宜地点の画像である特定画像のみ特定の文字・記号情報（Ｃ）が含まれることを特徴とする地図表示方法。
【請求項２】
平面図的に表現され、現在地点を表示する第二地図画面（Ａ２）をさらに有する請求項１に記載の地図表示方法。
【発明の詳細な説明】
【０００１】
【発明の属する技術分野】
本発明は、特定の目的地に至るまでの地図を順次表示する地図表示方法に関する。
【０００２】
【従来の技術】
従来、特定の目的地に至るまでの地図を順次表示する地図表示方法として、「カーナビゲーションシステム」と呼ばれる、自動車に表示装置を搭載して目的地までの地図を現在位置に対応して順次表示する方法が知られている。しかし、同技術では、表示する地図は静止画であるため、ユーザーは地図を凝視して、現在位置と目的地を確認し、これらの間の経路を自らの目で追跡しなければならなかった。また、「カーナビゲーションシステム」においても、３次元的に建物等を表示しているものも知られているが、静止画であるため実際に移動する状況を把握するために用いるのには適さなかった。
【０００３】
なお、本発明とは趣旨が相違するが、電子地図に関する文献として、特許第２７５６４８３号公報に記載のものが知られている。同公報に記載の技術によれば、画面に表示される平面地図には、公共機関等の建物や、河川等が表示されているのみで、実際の目的地の目印となる対象物を表示する機能を有していない。
【０００４】
【発明が解決しようとする課題】
かかる従来の実情に鑑みて、本発明は、例えば現在地点のような、特定地点の周囲の状況を直感的に理解することができる地図表示方法を提供することにある。
【０００５】
【課題を解決するための手段】
上記目的を達成するため、本発明に係る地図表示方法の第一の特徴は、３次元的に表現された第一地図画面を目的地に至るまで順次切替表示し、各画面は適宜地点にて静止し、操作手段の操作で連続表示が次の適宜地点まで再生され、当該適宜地点の画像である特定画像のみ特定の文字・記号情報が含まれるようにしたことにある。
【０００６】
また、本発明に係る地図表示方法の第二の特徴は、上記第一の特徴に加え、平面図的に表現され、現在地点を表示する第二地図画面を表示させるようにしたことにある。
【０００７】
【発明の効果】
このように、上記本発明に係る地図表示方法の第一の特徴によれば、第一地図画面は３次元的に表現してある。したがって、例えば、周囲の建物といった地図上に表示する対象物を立体的に表示することが可能となったことから、ユーザーは実際に行動する前に、自分の行動を疑似体験することができるようになった。そして、静止した特定画像にのみランドマーク等を表示する文字・記号情報を埋め込むことで、周囲にの状況を明らかにでき、連続変化する際に目障りな文字情報を表示させないので、ユーザーは地形の変化を文字情報に惑わされることなく直感的に認識することができる。
【０００８】
また、上記本発明にかかる地図表示方法の第二の特徴によれば、上記第一地図画面に加えて、現在地点を平面図的な地図上に表示する第二地図画面を有する。したがって、周囲環境を立体的に直感で確認しながら、平面上で自らの位置を客観的に確認することが可能となった。
【０００９】
なお、本発明に係る地図表示方法の他の特徴、目的、効果については、以下に示す「発明の実施の形態」の項で明らかになるであろう。
【００１０】
【発明の実施の形態】
次に、添付図面を参照しながら、本発明をさらに詳しく説明する。
図１〜７に時系列順にて示す本発明の実施形態は、地下鉄の駅から目的地である建物までの道案内をパソコンの画面Ａに表示する道案内システムに関する。図３に示すように、この画面Ａは、大略、第一〜四画面Ａ１〜Ａ４の４つの区画を有している。
【００１１】
第一画面Ａ１は、出発地点（始点）である地下鉄の駅から目的地（終点）の建物に至る経路の一部を３次元的に表示する３次元（３Ｄ）地図であり、具体的には、人の目線及び人の動きに基づいた３Ｄアニメーションを映し出す。ここで、本明細書において、「アニメーション」及び「動画」とは、特に断りのない限り、静止画を連続的に表示（スライド表示）したものをいう。
【００１２】
第二画面Ａ２は、第一画面Ａ１にて表示する３Ｄ地図に対応した地点を平面地図上に表示することで、現在地点をユーザーに知らせるためのものである。同画面において、現在地Ｈを丸印等で表示する。また、第一、二画面Ａ１、Ａ２双方において、目的地Ｅとしての建物等に周囲とは異なる着色を施すことで、画面Ａ１にて表示される３Ｄ表示の地図がどの位置における表示なのかを把握すると共に、目的地までのおおよその距離感を把握することができるようにしてある。
【００１３】
第三画面Ａ３は、主として操作指令を行うためのものであり、ナビゲーションボタンＢ１と出発地点選択ボタンＢ２とを有している。このナビゲーションボタンＢ１は、「ＰＬＡＹ」、「ＦＷＤ」、「ＰＲＩＮＴ」及び２つの「ＢＡＣＫ」よりなる５つの操作ボタンから構成される。「ＰＬＡＹ」をクリックすると、画面Ａ１に動画（アニメーション）が映し出される。一方、「ＦＷＤ」をクリックすると、動画（アニメーション）ではなく、動画を構成する各コマ単位毎に表示される。また、前画面を見たいときには、画面上段の「ＢＡＣＫ」をクリックすればよい。また、一番最初の画面に戻りたいときは、画面下段の「ＢＡＣＫ」をクリックすればよい。「ＰＲＩＮＴ」は、当該画面を印刷（出力）するものであり、実際の道順をシュミレーションした表示画面を印刷出力する。これら５種類のナビゲーションボタンＢ１により、目的地までの進行を進めたり、戻したりすることができる。
【００１４】
このように、本実施形態では、ナビゲーションボタンＢ１の操作のみで、動画、静止画、メッセージ等の表示及び印刷（出力）等を指示することができる。なお、本明細書では、特に断りがない限り、「特定画像」というときには、アニメーション（動画）が順次表示された後に静止する画像をいう。図３のＡ１は特定画像に相当する。
【００１５】
出発地点選択ボタンＢ２は、符号Ｂ２ａ，Ｂ２ｂ，Ｂ２ｃに示すように異なる出発地に対応した複数のボタンを有している。図１〜７は最も下のボタンＢ２ｃを選択した場合に対応し、中段のボタンＢ２ｂを選択すれば図８に示すような異なる地点に対する３次元画像が表示される。また、最上段のボタンＢ２ａを選択すれば、異なる駅における案内画像が表示される。
【００１６】
第四画面Ａ４は、第一画面Ａ１に表示した内容に対応するメッセージを表示するものである。例えば、「地下鉄○○駅下車、１２番出口を上がる」や、「１２番出口後ろ○○コーヒー横、○○生命○○○ビル横通る」といったメッセージを表示する。
【００１７】
次に、地図の作成方法及び地図等を画面Ａに表示するためのソフトウエアの作成方法について簡単に説明する。
１）３次元ＣＡＤ等で地形図を作成する。具体的にはレンダリングやシェーディングの技法により最終的に必要な画像を自動生成すればよい。また、実際に現地へカメラを持ち込んで撮影した３次元画像を用いることもできる。
２）  順次視点を変えて、１）と同様に１コマ毎に地形図を作成する。
３）作成した３次元地形図を２次元図形データ（ｂｍｐ、ｊｐｅｇ等）に変換する。
４）建物等のオブジェクト毎に適宜文字情報（文字、記号等）を埋め込む
５）各コマ単位で、図形（画像）データ及び文字データ−等をセットにし、各セットに時系列の情報を埋め込み、これらのデータを順次表示させるプログラムに書き込みを行う。本実施形態では、これらの２次元図形データ等を時系列順にスライド表示させることでアニメーション（動画）を作成するプログラムとしてＭａｃｒｏｍｅｄｉａ社の「Ｆｌａｓｈ」（商標）を用いた。
【００１８】
次に、図１〜７を順に参照しながら、実際の操作手順について説明する。
まず、図示しないログイン画面において、ユーザーが出発地点と目的地点を入力すると、第一画面Ａ１には、出発地点（始点）と目的地点（終点）双方を上空から眺めた３Ｄ地図が表示される。そして、ユーザーが、図３に示すボタンＢ２ｃの選択後に第三画面Ａ３のナビゲーションボタンＢ１の「ＰＬＡＹ」をクリックすると、第一画面Ａ１には、上空視で視点が順次変化する様子を再現した動画（アニメーション）が映し出される。図２に示す画面Ａの第一画面Ａ１は、そのアニメーションの最中の１コマを抽出したものである。本実施形態では、アニメーション最中の第一画面Ａ１内に文字情報があると画像の内容自体が煩雑になるため、文字情報を表示させないようにしてある。以下、ナビゲーションボタンＢ１の「ＰＬＡＹ」ボタンを順次クリックする場合を例にとって説明する。
【００１９】
図３は、上空から地上視に第一画面Ａ１の視点を移動させる過程において、上空から出発地点である地下鉄の駅に視線を向けた際の立体静止画像が表示された状態での画面Ａを示す。同図の第一画面Ａ１には、「○○生命○○○ビル」や「○○コーヒー」のように建物・店等の名称や、「○○通り」といった通り（道路）の名称、さらには地下鉄の出口の番号、「目的地」の表示等、必要性の高い情報を文字・記号Ｃの形で表示するようにしてある。また、以下の各第一画面Ａ１において、目的地となる建物Ｅには、周囲とは異なる配色を施してあり、自らの進行方向がわかるようにしてある。
【００２０】
図４の第一画面Ａ１は、出発地点において、地上にいる人の目線で進行方向を見たときの３Ｄ立体静止画（地上立体静止画像）である。図３〜６に示すように、第二画面Ａ２において、現在地点Ｈを丸印等で表示してある。なお、本明細書で「地上立体画像」とは、地上にいる人の目線でみた場合の風景画像を言うものとする。
【００２１】
図５、６は、地上にいる人物の目線で目的地に至るまでの様子（風景）を動画（アニメーション）にて第一画面Ａ１に写しだしている最中の１コマを抽出したものであり、図６は図５に示すものの数コマ後の１コマを抽出したものである。ここで、この動画の最中にあっては、第一画面Ａ１には、上述の文字・記号情報Ｃを表示しないようにしたことで、連続変化を特徴とする動画にあって、煩雑な印象をユーザーに与えることもない。また、第二画面Ａ２にあっては、現在地点Ｈも第一画面Ａ１に連動して順次移動する。したがって、ユーザーは３Ｄの画像（地図）と２次元の地図情報双方で現在位置を把握するので、より正確に現在位置及び自らの進路を把握することができる。このように、視点が順次変化する複数の画像が表示された後、第一画面Ａ１には、図７に示すように、目的地である建物の前における特定画像としての地上視静止立体画像が表示され、ユーザーに対する道順案内が終了する。
【００２２】
最後に、本発明にかかる地図表示方法の他の実施形態の可能性について言及する。なお、以下の各実施形態を適宜組み合わせて実施することも可能である。
図９、１０に示すように、建物等の影を表示することでより現実的な３Ｄ地図を表示させることができる。ここで、第一画面Ａ１にあっては、図９に示す静止画を表示する場合の影Ｓ１ａ、Ｓ１ｂの色を、図１０に示すアニメーション（動画）再生中の場合の影Ｓ２ａ、Ｓ２ｂの色に比べて減色させてある。静止画にあっては、文字情報Ｃを表示するため、影の色を減色することにより、表示された地図の立体感を維持しつつ、文字情報Ｃを明瞭に表示することが可能となる。
【００２３】
上記実施形態では、パソコンの画面上に地図を表示する場合を例にとって説明した。しかし、携帯電話やＰＤＡの画面に地図を表示することも可能である。また、自動車内に搭載した画面上に表示させることで、立体感覚に訴える「カーナビゲーションシステム」を構築することも可能である。
【００２４】
上記実施形態の第一画面Ａ１にあっては、道路部分に着色を施していたが、かかる部分に地下鉄の駅構内の様子や、地下街の構成を立体的に表示することも可能である。
【００２５】
また、上記各実施形態では、２次元図形データ等を時系列順にスライド表示させることでアニメーションを構成したが、３次元ＣＡＤで作成した動画をそのまま映し出す構成としてもよい。但し、データが小容量で済む点で、上記実施形態の方が優れている。
【００２６】
上記実施形態では、図３に示す特定画像の第一画面Ａ１に表示された文字・記号Ｃの全てが図５に示すような他の動画では表示されていなかった。しかし、特定画像に含まれる文字・記号Ｃの「一部」が動画で表示されないように構成してもよい。例えば、図６に示すように、目障りにならない「目的地」の文字等は動画の第一画面Ａ１に含ませてもよい。
【００２７】
なお、特許請求の範囲の項に記入した符号は、あくまでも図面との対照を便利にするためのものにすぎず、該記入により本発明は添付図面の構成に限定されるものではない。
【図面の簡単な説明】
【図１】最初に表示される上空立体動画の１コマを表示した画面の説明図である。
【図２】上空から視点を変化させている最中の上空立体動画の１コマを表示した画面の説明図である。
【図３】上空から出発地点に視線を向けた状態における上空立体静止画像を表示した画面の説明図である。
【図４】出発地点において人の目線に立った状態での地上立体静止画像を表示した画面の説明図である。
【図５】地上立体画像のアニメーション再生中の地上立体動画の１コマを表示した画面の説明図である。
【図６】地上立体画像のアニメーション再生中の地上立体動画の続く１コマを表示した画面の説明図である。
【図７】目的地に到着直前の最終画面の説明図である地上立体静止画像を表示した画面の説明図である。
【図８】他の出発地点選択ボタンを選択した状態における図１相当図である。
【図９】他の実施形態における地上立体静止画像を表示した影の薄い状態の画面の説明図である。
【図１０】図９の状態に続く影の濃い状態の画面の説明図である。
【符号の説明】
Ａ：画面の説明図、Ａ１：第一画面、Ａ２：第二画面、Ａ３：第三画面、Ａ４：第四画面、Ｂ１：ナビゲーションボタン、Ｂ２：出発地点選択ボタン、Ｃ：文字情報、Ｈ：現在地表示、Ｓ１ａ、Ｓ１ｂ：静止画像における影、Ｓ２ａ、Ｓ２ｂ：動画再生中における影
【図１】
2004150918.tif 000003
【図２】
2004150918.tif 000004
【図３】
2004150918.tif 000005
【図４】
2004150918.tif 000006
【図５】
2004150918.tif 000007
【図６】
2004150918.tif 000008
【図７】
2004150918.tif 000009
【図８】
2004150918.tif 000010
【図９】
2004150918.tif 000011
【図１０】
2004150918.tif 000012